(57)【要約】【課題】画像データに基づく画像を表示する表示部を備える電子写真立てにおいて、表示すべき画像の表示方向に応じたフレームが画像として表示され、前記表示すべき画像の表示方向に応じてフレーム自体又は表示部を回転させる必要がない電子写真立て及びコンピュータプログラムを提供することにある。また、表示すべき画像とフレームの画像が合成された合成画像の回転様子を所定角度ピッチに表示でき、実物のフレームが回転するような視覚効果が得られる電子写真立て及びコンピュータプログラムを提供することにある。【解決手段】表示すべき画像の画像データに基づき、ＣＰＵ１０は該画像が横長か縦長か画像の方向を判定し、判定結果に応じて画像処理部１１が前記表示すべき画像を囲むフレームの画像を前記表示すべき画像と合成する。また、画像処理部１１は表示すべき画像とフレームの画像が合成された合成画像を回転処理する。【選択図】図４
2008236395.tif 000002
【特許請求の範囲】
【請求項１】
画像データに基づく画像を表示する表示部を備える電子写真立てにおいて、
外部から画像データを取得する取得手段と、
取得した画像データに基づき、表示すべき画像の選択を受付ける選択受付手段と、
前記表示すべき画像に、該画像を囲むフレームの画像を合成する合成手段と、
前記表示すべき画像の画像データに基づき、該画像が横長か縦長か判定する判定手段と、
該判定手段の判定結果に応じ、前記フレームの画像の形状を変形する変形手段と、
前記合成手段により合成された合成画像を回転処理する回転処理手段と
を備えることを特徴とする電子写真立て。
【請求項２】
前記表示すべき画像の画像データから、該画像の大きさのデータを抽出する抽出手段を備え、
該抽出手段が抽出した大きさのデータに基づき、前記変形手段が前記フレームの画像の形状を変形させるように構成してあることを特徴とする請求項１に記載の電子写真立て。
【請求項３】
編集のデータを受付ける受付手段と、
該受付手段が受付けた編集のデータに基づき、フレームの画像を編集する編集手段と
を備えることを特徴とする請求項１又は請求項２に記載の電子写真立て。
【請求項４】
コンピュータに、外部からの画像データに基づき、表示すべき画像の選択を受付させ、該画像を表示部に表示させるコンピュータプログラムにおいて、
コンピュータに、前記表示すべき画像を囲むフレームの画像を合成させる手順と、
コンピュータに、前記表示すべき画像の画像データに基づき、該画像が横長か縦長か判定させる手順と、
コンピュータに、判定結果に応じ、前記フレームの画像の形状を変形させる手順と、
コンピュータに、前記フレームの画像が合成された表示すべき画像を回転処理させる手順と
を実行させることを特徴とするコンピュータプログラム。
【請求項５】
コンピュータに、前記表示すべき画像の画像データから、該画像の大きさのデータを抽出する手順と、
コンピュータに、抽出した大きさのデータに基づき、前記フレームの画像の形状を変形させる手順と
を実行させることを特徴とする請求項４に記載のコンピュータプログラム。
【請求項６】
コンピュータに、編集のデータを受付させる手順と、
コンピュータに、受付けた編集のデータに基づき、前記フレームの画像を編集させる手順と
を実行させることを特徴とする請求項４又は請求項５に記載のコンピュータプログラム。
【発明の詳細な説明】
【技術分野】
【０００１】
本発明は画像データに基づく画像を表示する表示部を備える電子写真立て及びコンピュータプログラムに関する。
【背景技術】
【０００２】
近年、フイルムを利用する銀塩写真機の使用が急減する一方、デジタルカメラの使用は急増している。
【０００３】
デジタルカメラは撮った画像がその場で見られるといった便利さを有する反面、その画像を写真立てに入れて観賞するためには、デジタルカメラで撮った画像データを現像する必要があるといった不便さが依然として残っていた。
【０００４】
このような不便さを解決するものとして、特許文献１では、現像又はプリントアウトすることなく、デジタルカメラで撮った写真データに基づく画像を平面ディスプレイに表示して飾ることが出来る写真立てとして機能するデジタル写真フレームを提案している。
【０００５】
しかしながら、デジタルカメラで撮った画像は縦長の場合及び横長の場合があり、特許文献１のデジタル写真フレームは前記両方の画像に対応することが出来なく、場合によっては利用者が画像の表示方向に合わせてデジタル写真フレーム自体を回転させないといけないといった問題があった。
【０００６】
このような問題を解決するために、特許文献２では、表示部が回転自由に支持され、表示画像の表示方向に応じて自動的に回転する画像表示手段を提案している。
【特許文献１】特願２００１−５２５６７５号公報
【特許文献２】特開２０００−２９３１１１号公報
【発明の開示】
【発明が解決しようとする課題】
【０００７】
しかしながら、特許文献１のデジタル写真フレーム及び特許文献２の画像表示手段は何れも、画像の表示方向に応じてフレーム自体又は表示部を回転させる必要があり、特に特許文献２の画像表示手段の場合は、自動回転のための回転機構を設ける必要もあった。また、フレーム自体又は表示部が回転するので、時間及び手間がかかるといった問題もあった。さらに、定型のフレームにより囲まれる制限された範囲内に画像が表示されることから、前記定型のフレームより大きい又は小さい画像を表示するためには、前記定型のフレームの大きさに画像を合わせる処理を行う必要もあった。
【０００８】
本発明は斯かる事情に鑑みてなされたものであり、その目的は、画像データに基づく画像を表示する表示部を備える電子写真立てにおいて、表示すべき画像が横長か縦長か判定し、判定結果に応じて前記表示すべき画像を囲むフレームの画像を前記表示すべき画像と合成することにより、表示すべき画像の表示方向に応じたフレームが画像として表示され、表示方向に応じてフレーム自体又は表示部を回転させる必要がない電子写真立て及びコンピュータプログラムを提供することにある。また、表示すべき画像とフレームの画像が合成された合成画像を回転処理することにより、前記合成画像の回転する様子を所定角度ピッチに表示でき、実物のフレームが回転するような視覚効果が得られる電子写真立て及びコンピュータプログラムを提供することにある。
【０００９】
また、本発明の他の目的は、前記表示すべき画像の画像データに基づき、該画像の大きさのデータを抽出し、抽出した大きさのデータに基づいて前記フレームの大きさを変形させるように構成することにより、一つの写真立てで表示画像の大きさ変化に対応することが出来る電子写真立て及びコンピュータプログラムを提供することにある。
【００１０】
また、本発明の他の目的は、編集のデータを受付け、受付けた編集のデータに基づいてフレームの画像を編集することにより、フレームの画像を利用者が編集することができ、画像の観賞を一層楽しむことが出来る電子写真立て及びコンピュータプログラムを提供することにある。
【課題を解決するための手段】
【００１１】
本発明に係る電子写真立ては、画像データに基づく画像を表示する表示部を備える電子写真立てにおいて、外部から画像データを取得する取得手段と、取得した画像データに基づき、表示すべき画像の選択を受付ける選択受付手段と、前記表示すべき画像に、該画像を囲むフレームの画像を合成する合成手段と、前記表示すべき画像の画像データに基づき、該画像が横長か縦長か判定する判定手段と、該判定手段の判定結果に応じ、前記フレームの画像の形状を変形する変形手段と、前記合成手段により合成された合成画像を回転処理する回転処理手段とを備えることを特徴とする。  
【００１２】
本発明に係る電子写真立ては、前記表示すべき画像の画像データから、該画像の大きさのデータを抽出する抽出手段を備え、該抽出手段が抽出した大きさのデータに基づき、前記変形手段が前記フレームの画像の形状を変形させるように構成してあることを特徴とする。
【００１３】
本発明に係る電子写真立ては、編集のデータを受付ける受付手段と、該受付手段が受付けた編集のデータに基づき、フレームの画像を編集する編集手段とを備えることを特徴とする。
【００１４】
本発明に係るコンピュータプログラムは、コンピュータに、外部からの画像データに基づき、表示すべき画像の選択を受付させ、該画像を表示部に表示させるコンピュータプログラムにおいて、コンピュータに、前記表示すべき画像を囲むフレームの画像を合成させる手順と、コンピュータに、前記表示すべき画像の画像データに基づき、該画像が横長か縦長か判定させる手順と、コンピュータに、判定結果に応じ、前記フレームの画像の形状を変形させる手順と、コンピュータに、前記フレームの画像が合成された表示すべき画像を回転処理させる手順とを実行させることを特徴とする。
【００１５】
本発明に係るコンピュータプログラムは、コンピュータに、前記表示すべき画像の画像データから、該画像の大きさのデータを抽出する手順と、コンピュータに、抽出した大きさのデータに基づき、前記フレームの画像の形状を変形させる手順とを実行させることを特徴とする。
【００１６】
本発明に係るコンピュータプログラムは、コンピュータに、編集のデータを受付させる手順と、コンピュータに、受付けた編集のデータに基づき、前記フレームの画像を編集させる手順とを実行させることを特徴とする。
【００１７】
本発明にあっては、デジタルカメラのメモリカード、有・無線ＬＡＮ等から画像データを取得する。取得した画像データに基づき、表示部へ表示すべき画像の利用者による選択を受付ける。前記表示すべき画像は、該画像を囲むフレームの画像と合成され、前記表示部へ表示する。また、前記表示すべき画像の画像データに基づき、該画像が横長か縦長かを判定し、判定結果に応じ、前記フレームの形を変形する。さらに、前記表示すべき画像及び前記フレームの画像が合成された合成画像を回転処理し、前記表示部へ表示する。
【００１８】
本発明にあっては、前記表示すべき画像の画像データから該画像の大きさのデータを抽出する。抽出した前記表示すべき画像の大きさのデータに基づき、前記表示すべき画像を囲むフレームの大きさを変形させる。変形されたフレームの画像が表示すべき画像に合成され、表示部へ表示される。
【００１９】
本発明にあっては、利用者から編集のデータを受付け、受付けた編集のデータに基づき、前記フレームの画像を編集する。編集されたフレームの画像が表示すべき画像に合成され、表示部へ表示される。
【発明の効果】
【００２０】
本発明によれば、表示すべき画像の表示方向に応じて、該画像を囲むフレームが画像として表示されるので、表示画像の表示方向に応じてフレーム自体又は表示部を回転させる必要がなくなり、回転のための回転機構を別に設ける必要がなく構成が簡単になる。表示すべき画像とフレームの画像が合成された合成画像が回転処理され、所定角度毎に表示されるので、実物のフレームが回転するような視覚効果を得ることが出来る。
【００２１】
本発明によれば、抽出手段が表示すべき画像の大きさのデータを抽出し、抽出した大きさのデータに基づいて前記変形手段が前記フレームの大きさを変形させるように構成しているので、一つの写真立てで様々な大きさの表示すべき画像に対応することが出来る。
【００２２】
本発明によれば、前記フレームの画像の編集が出来るので、画像の観賞といった写真立て本来の楽しさと共に、フレームの編集という別の楽しさを利用者に提供することが出来る。
【発明を実施するための最良の形態】
【００２３】
（実施の形態１）
以下、本発明をその実施の形態１を示す図面に基づいて詳述する。図１は、本発明の実施の形態１に係る電子写真立ての正面図、図２は側面図、図３は背面図である。
【００２４】
本発明の実施の形態１に係る電子写真立ては表示部１及び該表示部１を支持する支持部２を備えている。表示部１は直方体形状のハウジング３０と、該ハウジング３０に収納されており、画像が表示される液晶パネルからなるディスプレイ６とを備えている。ハウジング３０は正面に正方形の開口７を設けており、ディスプレイ６は周囲及び裏面（図示せず）がハウジング３０により覆われている状態で一面を表示面として露出している。図１は前記表示面に花の画像が一例として表示された場合を示している。表示された画像は実物でなく画像であるフレーム８によって囲まれている。
【００２５】
ハウジング３０の一側面の下部には、デジタルカメラのメモリカード等の外部記録媒体Ａが差し込まれるカードスロット１９を備えている。また、ハウジング３０の裏面の上部にはディスプレイ６に画像を表示する操作のための操作部５を設けている。操作部５は、例えば前記メモリカードから取得した画像データに基づき表示すべき画像を選択する際、コマ単位に画像を送り又は戻しする送りスイッチ５１及び戻しスイッチ５２、表示可能な画像のサムネイル表示、画像の編集等を行なうためのメニュースイッチ５４、表示すべき画像を決定、メニューの中を何れかを決定するための決定スイッチ５３、電源スイッチ５５を備えている。
【００２６】
支持部２は、ハウジング３０の裏面にて相互対向するように突設され、回動軸３１を回動可能に支持する一対の軸支部３，３と、長方形の板状であり、一端部が回動軸３１により幅方向に貫通され、回動可能に支持されている脚部４を備えている。軸支部３，３の何れか一方には、脚部４の所定角度以上の回動を制限するピン状のストッパー３３を各軸支部３，３の間に向けて突設している。実施の形態１に係る電気写真立ては、回動軸３１を中心とした脚部４の回転がストッパー３３により制限された場合、即ち脚部４がストッパー３３と当接した場合、表示部１の表示面が設置面に対して所定角度に傾斜する状態で固定されることになる。
【００２７】
図４は、実施の形態１に係る電子写真立ての要部構成を示すブロック図であり、図中、前記電子写真立ては点線にて示されている。実施の形態１に係る電子写真立ては、利用者からの指示を受付ける操作部５、画像が表示される表示部１、例えばデジタルカメラ、カメラ付き携帯電話などのメモリカードのような外部記録媒体Ａからの画像データを、内部バスを解して送出するためのインターフェースである外部記録媒体Ｉ／Ｆ１５、表示部１へ表示するための画像データが一時的に記録されるフラッシュメモリ１２、フラッシュメモリ１２に記憶されている画像データを処理する画像処理部１１、表示部１へ画像を表示するための処理プログラム等が予め格納されているＲＯＭ１３、一時的なデータ、例えば外部記録媒体Ａからの画像データなどが記憶されるＲＡＭ１４及び、内部バスを介してこれらを制御するＣＰＵ１０を備えている。
【００２８】
外部記録媒体Ａからの画像データは例えばＥｘｉｆ（Exchangeable Image File Format）のデータ形式であり、ＪＰＥＧ画像データ形式をベースに、サムネイル画像データ、画像の大きさ、画像の解像度、横長であるか縦長であるかを示す画像の方向などの情報が埋め込まれている。
【００２９】
フラッシュメモリ１２は、利用者によって選択された画像の画像データ及びフレーム８の画像データ等が記億される。また、利用者から受付けた編集データも共に記憶される。
【００３０】
画像処理部１１は、フラッシュメモリ１２に記憶されている選択された画像の画像データ及びフレーム８の画像データの合成、受付けた編集データに基づく前記フレーム８の画像データの更新、表示すべき画像データの回転処理等を行う。
【００３１】
ＣＰＵ１０は、前記画像データの情報に基づき、表示すべき画像が横長であるか縦長であるかの判定、表示すべき画像の大きさのデータの抽出などを行う。また、ＲＯＭ１３には、利用者を案内するための文字データ、フレーム８の画像データ、フレーム８のサムネイルのデータ等が予め格納されている、
【００３２】
図５及び図６は実施の形態１の電子写真立てのＣＰＵ１０の制御手順を示すフローチャートである。
【００３３】
利用者により、外部記録媒体Ａがカードスロット１９に差し込まれた場合、ＣＰＵ１０は外部記録媒体Ｉ／Ｆ１５を介して外部記録媒体Ａの画像データを取得し（Ｓ１０１）、ＲＡＭ１４に記憶する。
【００３４】
ＣＰＵ１０は取得した画像データのサムネイルをディスプレイ６へ表示する（Ｓ１０２）。利用者が操作部５の送りスイッチ５１、戻しスイッチ５２及び決定スイッチ５３を操作して、前記サムネイルの中から表示すべき画像を選択することにより、表示すべき画像の選択を受付ける（Ｓ１０３）。選択された表示すべき画像の画像データはフラッシュメモリ１２へ記憶される。
【００３５】
次いでＣＰＵ１０は、ＲＯＭ１３の案内文字データに基づき、ディスプレイ６に「フレームを選択しますか？」という案内文字並びに、「ＹＥＳ」及び「ＮＯ」の選択ボタンを表示する。図７はディスプレイ６へ表示された前記案内文字及び選択ボタンの一例を例示する例示図である。「ＹＥＳ」又は「ＮＯ」の何れかのボタンが操作されるかを監視することにより、ＣＰＵ１０はフレーム８の画像を選択するか否かを判定する（Ｓ１０４）。利用者により「ＮＯ」のボタンが操作され、ＣＰＵ１０がフレーム８の画像を選択しないと判定した場合（Ｓ１０４：ＮＯ）、ＲＯＭ１３からデフォルトのフレーム８の画像データを読み込み、フラッシュメモリ１２へ記憶する（Ｓ１０５）。
【００３６】
利用者により「ＹＥＳ」のボタンが操作され、ＣＰＵ１０がフレーム８の画像を選択すると判定した場合（Ｓ１０４：ＹＥＳ）、ＲＯＭ１３に格納されているデータに基づき、デザインの異なる複数のフレーム８の画像のサムネイルをディスプレイ６へ表示する（Ｓ１０６）。図８はディスプレイ６へ表示された複数のフレーム８の画像のサムネイルの例示図である。表示されたフレーム８の画像はデフォルトとして横長形状をなしている。利用者が操作部５の送りスイッチ５１、戻しスイッチ５２及び決定スイッチ５３を操作して、表示されたフレーム８の画像の中から一つのフレーム８の画像を選択することにより、フレーム８の画像の選択を受付ける（Ｓ１０７）。利用者により選択されたフレーム８の画像の画像データはフラッシュメモリ１２へ記憶される。以上までの処理により、フラッシュメモリ１２には表示すべき画像及びフレーム８の画像データが記憶されていることとなる。
【００３７】
次いでＣＰＵ１０は表示すべき画像の画像データから、表示すべき画像の大きさのデータを抽出する（Ｓ１０８）。上述のように前記画像データはＥｘｉｆのデータ形式であり、画像の大きさの情報が埋め込まれているので、表示すべき画像の大きさのデータを抽出することが可能である。ＣＰＵ１０は画像処理部１１に指示し、抽出した大きさのデータに基づいてフラッシュメモリ１２に記憶しているフレーム８の画像データの更新を行い、表示すべきフレーム８の画像の大きさ（形状）を変形させる（Ｓ１０９）。
【００３８】
また、ＣＰＵ１０は表示すべき画像の画像データに基づき、表示すべき画像の方向が縦長であるか否かを判定する（Ｓ１１０）。前記画像データには画像の方向の情報が埋め込まれており、表示すべき画像の方向が縦長であるか否かの判定が可能である。表示すべき画像の方向が縦長でないと判定した場合（Ｓ１１０：ＮＯ）、ＣＰＵ１０は画像処理部１１に指示し、フラッシュメモリ１２に記憶している画像データに基づく表示すべき画像にフレーム８の画像を合成し（Ｓ１１１）、合成された画像を表示部１（ディスプレイ６）へ表示する（Ｓ１１２）。
【００３９】
例えば図１に示すように、夫々植木鉢に植わっている３本の花が映っており、画像の方向が横長である画像及び長方形のフレーム８が利用者により選択された場合、Ｓ１１２までの処理が終了したとき、前記横長い画像を該画像に対応する横長形状のフレーム８の画像が囲んでいる状態がディスプレイ６に表示されることとなる。
【００４０】
一方、ＣＰＵ１０は表示すべき画像の方向が縦長であると判定した場合（Ｓ１１０：ＹＥＳ）、表示すべき画像をデフォルトの横長形状のフレーム８に合わせるため、画像処理部１１に指示し、横長い画像として表示されるように前記表示すべき画像の画像データを−９０度（９０度）回転処理し（Ｓ１１３）、フラッシュメモリ１２に記憶する。
【００４１】
次いでＣＰＵ１０は画像処理部１１に指示し、フラッシュメモリ１２に記憶している回転処理された画像データに基づく表示すべき画像にフレーム８の画像を合成し（Ｓ１１４）、合成された画像を表示部１（ディスプレイ６）へ表示する（Ｓ１１５）。Ｓ１１４で合成された画像の画像データは再びフラッシュメモリ１２へ記憶される。
【００４２】
図９はＣＰＵ１０による処理結果の一部を示す例示図である。図９（ａ）はＳ１１５までの処理が行われた場合の例示図である。例えば植木鉢に植わっている１本の花が映っており、画像の方向が縦長である画像及び長方形のフレームが利用者により選択された場合、前記画像が横長い画像として表示されており、該画像を横長形状のフレーム８の画像が囲んでいる。
【００４３】
次いでＣＰＵ１０は画像処理部１１に指示し、フラッシュメモリ１２に記憶している合成された画像の画像データについて４５度（又は−４５度）回転処理を行い（Ｓ１１６）、該回転処理がされた画像データに基づく画像を表示部１（ディスプレイ６）へ表示する（Ｓ１１７）。
【００４４】
図９（ｂ）はＳ１１７までの処理が行われた場合の例示図である。図９（ａ）に示したようなＳ１１５までの処理が行われた場合の画像が、４５度回転した状態に表示されている。
【００４５】
次いでＣＰＵ１０は画像処理部１１に指示し、フラッシュメモリ１２に記憶している合成された画像の画像データについて９０度（又は−９０度）回転処理を行い（Ｓ１１８）、該回転処理がされた画像データに基づく画像を表示部１（ディスプレイ６）へ表示する（Ｓ１１９）。
【００４６】
図１０はＳ１１９までの処理が行われた場合の例示図である。図９（ａ）に示したようなＳ１１５までの処理が行われた場合の画像が、９０度回転した状態に表示されている。即ち、画像の方向が縦長である利用者により選択された画像が縦長い画像として表示あれており、該画像を縦長形状のフレーム８の画像が囲んでいる。
【００４７】
Ｓ１１３からＳ１１９までの処理を行うことにより、実物のフレーム８を回転させるような視覚効果を得ることができ、リアリティーを高めることが出来る。
【００４８】
上述した実施の形態１に係る電子写真立てにおいては、該電子写真立てを設置面に載置するための脚部４を有する場合について説明したが、これに限るものでなく、壁掛けが出来るように構成しても良い。
【００４９】
上述した実施の形態１に係る電子写真立てにおいては、外部記録媒体Ａが差し込まれるカードスロット１９を１箇所に設けている場合について説明したが、これに限るものでなく、カードスロット１９を複数個所に設けても良い。また、ＵＳＢケーブル等の有線ケーブルを介して外部記録媒体Ａとの接続が可能に構成しても良く、無線ＬＡＮを用いた接続が可能に構成しても良い。
【００５０】
上述した実施の形態１に係る電子写真立てにおいては、リアリティーを高めるために、画像の方向が縦長である画像を先ず横長い画像に回転処理してフレーム８と合成した後に表示し、該画像をその後４５度及び９０度の回転処理をして表示する場合について説明したが、これに限るものでない。３０度、６０度及び９０度の回転処理を行って表示するようにしても良く、より細かいピッチの回転処理であっても良い。また、このように回転過程を表示することなく、−９０度の場合、つまり横長い画像として表示した場合及び、９０度の回転処理をした場合のみを表示するように構成しても良い。
【００５１】
なお、一切の回転過程を表示しないように構成しても良い。即ち、表示すべき画像の方向が縦長である場合、前記表示すべき画像を横長い画像になるように回転処理するのでなく、画像処理部１１がデフォルトの横長形状のフレーム８を縦長形状に変形させ、前記表示すべき画像と合成して表示するものである。
【００５２】
なお、本発明に係る電子写真立ては、実施の形態１又は実施の形態２の記載に限定されるものでない。例えば、ディスプレイ６において、表示すべき画像及びフレーム８の画像が合成された合成画像が表示される部分以外の残余部分（図１０中６ａ）への表示が可能であることは言うまでもない。つまり、残余部分６ａにハウジング３０の正面３０ａの模様と同じ模様が表示されるように構成してもよく、利用者より前記残余部分６ａに表示すべき模様が選択できるように構成しても良い。
【００５３】
（実施の形態２）
図１１は本発明の実施の形態２に係る電子写真立ての正面図である。本発明の実施の形態２に係る電子写真立ては、実施の形態１に係る電子写真立てと略同様であって、表示部１及び該表示部１を支持する支持部２を備えている。一方、実施の形態２に係る電子写真立ては、実施の形態１に係る電子写真立てと異なって、タッチペン２０を備えている。タッチペン２０は、ペン形状の入力装置であって、タッチペン２０の先端部２１を後述のタッチパネル９にタッチすることで、表示すべき画像、フレーム８、後述のスタンプ１７の選択等を受付けることができる。
【００５４】
図１２は実施の形態２に係る電子写真立ての要部構成を示すブロック図である。実施の形態２に係る電子写真立の要部構成においては、実施の形態１に係る電子写真立てと略同様であって、操作部５、表示部１、外部記録媒体Ｉ／Ｆ１５、フラッシュメモリ１２、画像処理部１１、ＲＯＭ１３、ＲＡＭ１４及び、ＣＰＵ１０を備えている。一方、実施の形態２に係る写真立ては、実施の形態１の電子写真立てと異なって、上述のようにタッチペン２０を備えており、表示部１は画像を表示するディスプレイ６及びディスプレイ６の表面に積層された透明なタッチパネル９を有している。タッチパネル９は、タッチペン２０と協働する入力装置であり、表示すべき画像、フレーム８、後述のスタンプ１７の選択等を受付けることができる。
【００５５】
実施の形態２に係る電子写真立ては、編集データを受付けることが出来るように構成されている。つまり、いわゆるスタンプ１７と呼ばれる所定の画像のデータを受付け、利用者が希望するフレーム８の所定位置にスタンプ１７の画像を合成することが可能に構成されている。実施の形態２に係る電子写真立てには複数のスタンプ１７の画像データが予めＲＯＭ１３に格納されており、利用者はタッチペン２０を用いて希望のスタンプ１７をタッチする操作を行い、スタンプ１７を選択することが出来る。以下、前記スタンプ１７を用いた編集を例として実施の形態２に係る電子写真立てについて説明する。
【００５６】
図１３は実施の形態２に係る電子写真立てのＣＰＵ１０の制御手順を示すフローチャートである。説明の便宜上、利用者によって選択された表示すべき画像の方向は横長である場合を例として説明する。この際、図５に記載のＳ１０１からＳ１１０までの処理と同様であり、図１２中での表示及び詳しい説明を省略する。但し、実施の形態２に係る電子写真立てにおいては、表示すべき画像及びフレーム８の選択が、タッチペン２０及びタッチパネル９を用いて行われるものとする。
【００５７】
Ｓ１０１からＳ１１０までの処理により、ＣＰＵ１０は１つの表示すべき画像の選択及び、一つのフレーム８の画像の選択を受付け、フラッシュメモリ１２に記憶している。前記表示すべき画像の方向が縦長であるか否かの判定を終えた場合、ＣＰＵ１０はＲＯＭ１３の案内文字データに基づき、ディスプレイ６に「フレームの画像を編集しますか？」という案内文字並びに、「ＹＥＳ」及び「ＮＯ」の選択ボタンを表示する。「ＹＥＳ」又は「ＮＯ」の何れかのボタンが操作されるかを監視することにより、ＣＰＵ１０はフレーム８の画像を編集するか否かを判定する（Ｓ２１１）。利用者により「ＮＯ」のボタンが操作され、ＣＰＵ１０がフレーム８の画像を編集しないと判定した場合（Ｓ２１１：ＮＯ）、Ｓ２１８の処理へ移る。
【００５８】
一方、利用者により「ＹＥＳ」のボタンが操作され、ＣＰＵ１０がフレーム８の画像を編集すると判定した場合（Ｓ２１１：ＹＥＳ）、ＲＯＭ１３に格納されているデータに基づき、複数のスタンプ１７のサムネイルをディスプレイ６へ表示する。また、ＣＰＵ１０はＲＯＭ１３の案内文字データに基づき、ディスプレイ６に「編集するスタンプを選択してください」という案内文字を表示する。図１４は案内文字及び複数のスタンプ１７のサムネイルが表示された一例を例示する例示図である。表示された複数のスタンプ１７のサムネイルの中から、利用者がタッチペン２０の先端部２１を希望のスタンプ１７のサムネイルにタッチする操作を行うことにより、ＣＰＵ１０はスタンプ１７の選択（編集データ）を受付ける（Ｓ２１２）。利用者によりタッチ（選択）されたスタンプ１７の画像データはフラッシュメモリ１２へ記憶する。
【００５９】
次いでＣＰＵ１０は、ＲＯＭ１３の案内文字データに基づき、ディスプレイ６に「編集位置を設定してください」という案内文字と共に、選択されたフレーム８の画像を表示する（Ｓ２１３）。フレーム８の画像上、編集を希望する位置に、利用者がタッチペン２０の先端部２１をタッチすることにより、ＣＰＵ１０は位置の設定を受付ける。つまり、フレーム８の画像が表示されるディスプレイ６の上にはタッチパネル９が積層されているので、利用者が前記操作を行う際、タッチペン２０がタッチパネル９にタッチされ、ＣＰＵ１０はタッチされた位置のデータを取得することが出来る。
【００６０】
ＣＰＵ１０はタッチペン２０がタッチパネル９にタッチしたか否かを判定する（Ｓ２１４）。ＣＰＵ１０はタッチペン２０がタッチパネル９にタッチしていないと判定した場合（Ｓ２１４：ＮＯ）、タッチペン２０がタッチパネル９にタッチするまで待つ。一方、ＣＰＵ１０はタッチペン２０がタッチパネル９にタッチしたと判定した場合（Ｓ２１４：ＹＥＳ）、タッチされた位置がフレーム８の画像が表示された領域か否かを判定する（Ｓ２１５）。
【００６１】
ＣＰＵ１０はタッチされた位置がフレーム８の画像が表示された領域でないと判定した場合（Ｓ２１５：ＮＯ）、Ｓ２１４の処理へ戻る。一方、ＣＰＵ１０はタッチされた位置がフレーム８の画像が表示された領域であると判定した場合（Ｓ２１５：ＹＥＳ）、タッチされた位置のデータと、Ｓ２１２で選択を受付けたスタンプ１７のデータとを関連付けてフラッシュメモリ１２へ記憶する。
【００６２】
次いでＣＰＵ１０はＲＯＭ１３の案内文字データに基づき、ディスプレイ６に「編集を終了しますか？」という案内文字並びに、「ＹＥＳ」及び「ＮＯ」の選択ボタンを表示する。「ＹＥＳ」又は「ＮＯ」の何れかのボタンが操作されるかを監視することにより、ＣＰＵ１０はフレーム８の画像の編集を終了するか否かを判定する（Ｓ２１６）。利用者により「ＮＯ」のボタンが操作され、ＣＰＵ１０がフレーム８の画像の編集を終了しないと判定した場合（Ｓ２１６：ＮＯ）、Ｓ２１２の処理へ戻り、Ｓ２１２からＳ２１６までの処理を繰り返す。これは、利用者により「ＹＥＳ」のボタンが操作され、ＣＰＵ１０がフレーム８の画像の編集を終了すると判定するまで行われる。
【００６３】
利用者により「ＹＥＳ」のボタンが操作され、ＣＰＵ１０がフレーム８の画像の編集が終了であると判定した場合（Ｓ２１６：ＹＥＳ）、画像処理部１１に指示し、フラッシュメモリ１２に記憶している位置のデータ及びスタンプ１７のデータに基づきフレーム８の画像データを更新し、フレーム８の画像を編集する（Ｓ２１７）。
【００６４】
次いでＣＰＵ１０は、画像処理部１１に指示し、フラッシュメモリ１２に記憶している画像データに基づく表示すべき画像に、編集されたフレーム８の画像を合成し（Ｓ２１８）、表示部１（ディスプレイ６）へ表示する（Ｓ２１９）。
【００６５】
図１５は実施の形態２に係る電子写真立てのＣＰＵ１０の処理結果を例示する例示図である。例えば、利用者により、夫々植木鉢に植わっている３本の花が映っており、画像の方向が横長である画像と、一つの長方形のフレーム８の画像が選択され、さらにスタンプ１７として月模様、太陽模様、ハート模様、星模様が選択され、編集位置としては前記フレーム８の各頂点部分が設定されたとする。この場合、Ｓ２１９までの処理が完了することにより、表示部１（ディスプレイ６）には、選択された画像の方向が横長である画像を、該画像に対応する横長形状のフレーム８の画像が囲んでおり、フレーム８の各頂点部分が夫々月模様、太陽模様、ハート模様、星模様のスタンプ１７，１７，１７，１７にて編集された状態が表示される。なお、回転処理によってフレーム８の回転（過程）が表示される場合は、スタンプ１７はフレーム８と共に回転することは言うまでもない。
【００６６】
上述の実施の形態２においては、編集データとしてスタンプ１７を例とする場合について説明したがこれに限るものでない。タッチペン２０により描かれた模様を編集データとして受付け、フレーム８の画像の編集を行うように構成しても良い。
【００６７】
実施の形態１と同様の部分については、同一の符号を付して詳細な説明を省略する。
【００６８】
（実施の形態３）
図１６は、実施の形態３に係る電子写真立ての要部構成を示すブロック図であり、図中、前記電子写真立ては点線にて示されている。実施の形態３に係る電子写真立てを動作させるためのプログラムは、本実施の形態３のように、ＣＤ−ＲＯＭ等の可搬型記録媒体２Ａで提供することも可能である。さらに、コンピュータプログラムを、外部記録媒体Ｉ／Ｆ１５を介して図示しない外部装置からダウンロードすることも可能である。以下に、その内容を説明する。
【００６９】
実施の形態３に係る電子写真立ては外装（又は内装）の記録媒体読み取り装置（図示せず）を備えており、該記録媒体読み取り装置に、表示すべき画像の選択を受付させ、表示すべき画像が横長か縦長か、つまり表示すべき画像の方向を判定させ、表示すべき画像の大きさのデータを抽出させ、表示すべき画像を囲むべきフレームの画像の形状を変形させ、編集のデータを受付させ、フレームの画像を編集させ、表示すべき画像を囲むフレームの画像を合成させ、合成された画像を回転処理させるプログラムが記録された可搬型記録媒体２Ａを挿入して、ＲＯＭ１３にこのプログラムをインストールする。または、かかるプログラムを外部記録媒体Ｉ／Ｆ１５、有・無線ＬＡＮモジュール（図示せず）等を介して外部装置（図示せず）からダウンロードし、ＲＯＭ１３にインストールするようにしても良い。かかるプログラムはＲＡＭ１４にロードして実行される。これにより、上述のような本発明の電子写真立てとして機能する。
【００７０】
本実施の形態３は以上の如き構成としており、その他の構成及び作用は実施の形態１又は２と同様であるので、対応する部分には同一の参照番号を付してその詳細な説明を省略する。
【図面の簡単な説明】
【００７１】
【図１】本発明の実施の形態１に係る電子写真立ての正面図である。
【図２】本発明の実施の形態１に係る電子写真立ての側面図である。
【図３】本発明の実施の形態１に係る電子写真立ての背面図である。
【図４】本発明の実施の形態１に係る電子写真立ての要部構成を示すブロック図である。
【図５】本発明の実施の形態１の電子写真立てのＣＰＵの制御手順を示すフローチャートである。
【図６】本発明の実施の形態１の電子写真立てのＣＰＵの制御手順を示すフローチャートである。
【図７】ディスプレイへ表示された案内文字及び選択ボタンの一例を例示する例示図である。
【図８】ディスプレイへ表示された複数のフレームの画像のサムネイルの例示図である。
【図９】ＣＰＵによる処理結果の一部を示す例示図である。
【図１０】Ｓ１１９までの処理が行われた場合の例示図である。
【図１１】本発明の実施の形態２に係る電子写真立ての正面図である。
【図１２】本発明の実施の形態２に係る電子写真立ての要部構成を示すブロック図である。
【図１３】本発明の実施の形態２に係る電子写真立てのＣＰＵの制御手順を示すフローチャートである。
【図１４】案内文字及び複数のスタンプのサムネイルが表示された一例を例示する例示図である。
【図１５】本発明の実施の形態２に係る電子写真立てのＣＰＵの処理結果を例示する例示図である。
【図１６】本発明の実施の形態３に係る電子写真立ての要部構成を示すブロック図である。
【符号の説明】
【００７２】
１  表示部
２  支持部
３  軸支部
４  脚部
５  操作部
６  ディスプレイ
８  フレーム
９  タッチパネル
１０  ＣＰＵ
１１  画像処理部
１２  フラッシュメモリ
１３  ＲＯＭ
１４  ＲＡＭ
１７  スタンプ
２０  タッチペン
Ａ  外部記録媒体
【図１】
2008236395.tif 000003
【図２】
2008236395.tif 000004
【図３】
2008236395.tif 000005
【図４】
2008236395.tif 000006
【図５】
2008236395.tif 000007
【図６】
2008236395.tif 000008
【図７】
2008236395.tif 000009
【図８】
2008236395.tif 000010
【図９】
2008236395.tif 000011
【図１０】
2008236395.tif 000012
【図１１】
2008236395.tif 000013
【図１２】
2008236395.tif 000014
【図１３】
2008236395.tif 000015
【図１４】
2008236395.tif 000016
【図１５】
2008236395.tif 000017
【図１６】
2008236395.tif 000018